【手続補正書】
【提出日】平成18年1月16日(2006.1.16)
【手続補正１】
【補正対象書類名】特許請求の範囲
【補正対象項目名】全文
【補正方法】変更
【補正の内容】
【特許請求の範囲】
【請求項１】
上皮および支質とともに角膜を有する眼から上皮を分離するためのデバイスであって、該デバイスは、該上皮の下に機械的力を適用して、該支質を切断することなく、該上皮を該支質から分離するように構成された上皮層間剥離器部材を備える、デバイス。
【請求項２】
前記上皮層間剥離器部材が、コラーゲンＩ型およびコラーゲンＩＩＩ型を実質的に含まない分離された上皮を生成するように構成されている、請求項１に記載のデバイス。
【請求項３】
前記上皮層間剥離器部材が、前記機械的力を前記上皮の下に適用しながら前記支質を窪ませるように構成されている、請求項１に記載のデバイス。
【請求項４】
前記上皮層間剥離器部材が、少なくとも１つの連続部分として前記上皮を分離するように構成されている、請求項１に記載のデバイス。
【請求項５】
前記上皮層間剥離器部材が、前記上皮を１つの連続部分として分離するように構成されている、請求項１に記載のデバイス。
【請求項６】
前記上皮層間剥離器部材が、前記上皮を分離して上皮ポケットを形成するように構成されている、請求項１に記載のデバイス。
【請求項７】
前記上皮層間剥離器部材が、前記上皮を前記支質から分離するように選択された剛性およびサイズを有するワイヤを備える、請求項１に記載のデバイス。
【請求項８】
前記ワイヤが、円形、四角形、卵形、楕円形、矩形、切頭卵形、およびブルノーズ形からなる群より選択される断面を有する、請求項７に記載のデバイス。
【請求項９】
前記ワイヤが、特定の長さおよび該長さに沿って一定でない断面を有する、請求項７に記載のデバイス。
【請求項１０】
前記ワイヤが、前記上皮の下に通されたときに該ワイヤの通過を導くように配置されたプローを有する、請求項７に記載のデバイス。
【請求項１１】
前記ワイヤが、その長さに沿ってねじれている、請求項７に記載のデバイス。
【請求項１２】
前記ワイヤが、その長さに沿ってらせん状にねじれている、請求項１１に記載のデバイス。
【請求項１３】
前記ワイヤが、その長さに沿って不均一にねじれている、請求項１１に記載のデバイス。
【請求項１４】
前記ワイヤ剛性が、前記ワイヤの材料の選択によって少なくとも部分的に選択される、請求項７に記載のデバイス。
【請求項１５】
前記ワイヤ剛性が、前記ワイヤに配置されたひずみを調整することによって少なくとも部分的に選択される、請求項７に記載のデバイス。
【請求項１６】
前記ワイヤを支持するヨークをさらに備える、請求項７に記載のデバイス。
【請求項１７】
前記ヨークが、前記ワイヤを、前記上皮の下で、該ワイヤに対して垂直な運動方向にて通過するように構成されている、請求項１６に記載のデバイス。
【請求項１８】
前記ヨークが、前記ワイヤを、前記上皮の下で、該ワイヤに対して垂直でない運動方向にて通過するように構成されている、請求項１６に記載のデバイス。
【請求項１９】
前記ワイヤを振動させるように構成された発振器をさらに備える、請求項７に記載のデバイス。
【請求項２０】
前記発振器が、１００Ｈｚと３５０Ｈｚとの間の周波数で前記ワイヤを振動するように構成されている、請求項１９に記載のデバイス。
【請求項２１】
前記発振器が、２４５Ｈｚと２５５Ｈｚとの間の周波数で前記ワイヤを振動するように構成されている、請求項１９に記載のデバイス。
【請求項２２】
前記発振器が、１．５ｍｍと４．５ｍｍとの間の振幅で前記ワイヤを振動するように構成されている、請求項１９に記載のデバイス。
【請求項２３】
前記発振器が、２．０ｍｍと３．０ｍｍとの間の振幅で前記ワイヤを振動するように構成されている、請求項２０に記載のデバイス。
【請求項２４】
前記発振器が、前記ワイヤに対して垂直な運動方向で前記ワイヤを振動するように構成されている、請求項２０に記載のデバイス。
【請求項２５】
前記発振器が、前記ワイヤに対して垂直でない運動方向で前記ワイヤを振動するように構成されている、請求項２０に記載のデバイス。
【請求項２６】
吸引装置をさらに備える、請求項７に記載のデバイスであって、該吸引装置が、吸引チャンバを規定する上皮接触表面、前記ワイヤを前記上皮に向けるスロット、および該吸引チャンバと減圧連絡した減圧源を備える、デバイス。
【請求項２７】
前記吸引チャンバが、２つの上皮接触表面の間に容積を含む、請求項２６に記載のデバイス。
【請求項２８】
前記接触表面が、環状の形状である、請求項２６に記載のデバイス。
【請求項２９】
前記吸引装置が、眼科用外科器具の進入用のポートをさらに備える、請求項２６に記載のデバイス。
【請求項３０】
前記上皮層間剥離器部材が、前記支質と接触して前記上皮を分離したときに回転するように構成されている、請求項１に記載のデバイス。
【請求項３１】
前記上皮層間剥離器部材が、前記支質と接触して前記上皮を分離したときに受動的に回転するように構成されている、請求項３０に記載のデバイス。
【請求項３２】
前記上皮層間剥離器部材が、前記支質と接触して前記上皮を分離したときに能動的に回転するように構成されている、請求項３０に記載のデバイス。
【請求項３３】
回転可能な上皮層間剥離器部材が、少なくとも２本のワイヤを含むワイヤ構造体を備え、該構造体が、前記上皮を前記支質から分離するように選択される、請求項３０に記載のデバイス。
【請求項３４】
前記ワイヤ構造体が、前記上皮を前記支質から分離するように選択された剛性およびサイズを有する、請求項３３に記載のデバイス。
【請求項３５】
前記ワイヤ構造体が、２本より多くのワイヤを含む、請求項３３に記載のデバイス。
【請求項３６】
前記ワイヤ構造体が、並んでかつその長さに沿って一緒にねじれて置かれたワイヤを含む、請求項３３に記載のデバイス。
【請求項３７】
前記ワイヤ構造体が、その長さに沿ってらせん状にねじれている、請求項３３に記載のデバイス。
【請求項３８】
前記ワイヤ構造体が、その長さに沿って不均一にねじれている、請求項３３に記載のデバイス。
【請求項３９】
前記ワイヤ構造体が、編み組みされたワイヤを含む、請求項３３に記載のデバイス。
【請求項４０】
回転可能な上皮層間剥離器部材が、非平滑表面を有する少なくとも１本のワイヤを含むワイヤ構造体を備え、そして該表面が、前記上皮を前記支質から分離するに適切である、請求項３０に記載のデバイス。
【請求項４１】
回転可能な上皮層間剥離器部材が、前記上皮を前記支質から分離するに適した粗面化表面を有する少なくとも１本のワイヤを含むワイヤ構造体を備える、請求項３０に記載のデバイス。
【請求項４２】
前表面とともに角膜を有する眼から上皮を持ち上げるためのデバイスであって、連続した層として該上皮を持ち上げるように該前表面に対して機械的力を適用するように構成された上皮層間剥離器を含む、デバイス。
【請求項４３】
前記上皮層間剥離器が、吸引装置を備える、請求項４２に記載のデバイスであって、該吸引装置が、上皮接触表面および減圧源を有する吸引チャンバを備え、ここで、該吸引チャンバおよび該減圧源が、減圧連絡している、デバイス。
【請求項４４】
前記吸引チャンバが、壁を含む。請求項４３に記載のデバイス。
【請求項４５】
前記吸引チャンバが、半球形のカップである、請求項４３に記載のデバイス。
【請求項４６】
前記カップが、透明である、請求項４５に記載のデバイス。
【請求項４７】
前記カップが、変形可能物質から構成される、請求項４５に記載のデバイス。
【請求項４８】
前記接触表面が、環状の形状である、請求項４３に記載のデバイス。
【請求項４９】
前記環状の形状の接触表面が、金属、ポリマー、およびエラストマーからなる群より選択される物質から構成される、請求項４８に記載のデバイス。
【請求項５０】
前記吸引チャンバが、流体の進入のための、ポートまたは溝を備える、請求項４３に記載のデバイス。
【請求項５１】
前記上皮層間剥離器が、流体をさらに備える、請求項５０に記載のデバイス。
【請求項５２】
前記流体が、高張性生理食塩水を含む、請求項５１に記載のデバイス。
【請求項５３】
前記吸引チャンバが、眼科学的外科器具の進入のための、ポートまたは溝を備える、請求項４３に記載のデバイス。
【請求項５４】
前記減圧源が、手動ポンプである、請求項４３に記載のデバイス。
【請求項５５】
前記減圧源が、電動ポンプである、請求項４３に記載のデバイス。
【請求項５６】
圧力計をさらに備える、請求項４３に記載のデバイス。
【請求項５７】
前記減圧源が、シリンジである、請求項４３に記載のデバイス。
【請求項５８】
前記層間剥離器が、鈍い解剖器具である、請求項４２に記載のデバイス。
【請求項５９】
前記層間剥離器が、回転ワイヤを備える、請求項５８に記載のデバイス。
【請求項６０】
前記層間剥離器が、振動ワイヤを備える、請求項５８に記載のデバイス。
【請求項６１】
前記層間剥離器が、曲がったへらを備える、請求項５８に記載のデバイス。
【請求項６２】
前記鈍い解剖器具が、剪断力を付与するように構成されている、請求項５８に記載のデバイス。
【請求項６３】
前記上皮層間剥離器が、前記上皮と前記前表面との間に流体を注入することによって力を付与するように構成されている、請求項４２に記載のデバイス。
【請求項６４】
前期上皮層間剥離器が、流体をさらに備える、請求項６３に記載のデバイス。
【請求項６５】
前記流体が、高張性生理食塩水を含む、請求項６４に記載のデバイス。
【請求項６６】
前記流体が、シリコーン溶液を含む、請求項６４に記載のデバイス。
【請求項６７】
前記流体が、空気である、請求項６３に記載のデバイス。
【請求項６８】
前記上皮層間剥離器が、前記上皮と前記前表面との間にゲルを注入することによって力を適用するように構成されている、請求項４２に記載のデバイス。
【請求項６９】
前表面とともに角膜を有する眼から上皮を持ち上げるためのデバイスであって、前記前表面に化学的組成物を適用して、連続した層で前記上皮を持ち上げるように構成された上皮層間剥離器を備える、デバイス。
【請求項７０】
前記上皮層間剥離器が、ウェルを備える、請求項６９に記載のデバイス。
【請求項７１】
前記上皮層間剥離器が、前記化学的組成物をさらに備える、請求項７０に記載のデバイス。
【請求項７２】
前記化学的組成物が、エタノールを含む、請求項７１に記載のデバイス。
【請求項７３】
前記化学的組成物が、発疱剤を含むヒドロゲルを含む、請求項７１に記載のデバイス。
【請求項７４】
前記発疱剤が、エタノールを含む、請求項７３に記載のデバイス。
【請求項７５】
前記発疱剤が、カンタリジンを含む、請求項７３に記載のデバイス。
【請求項７６】
前記発疱剤が、硫化ジアリルを含む、請求項７３に記載のデバイス。
【請求項７７】
前記化学的組成物が、少なくとも１つの希釈剤をさらに含む、請求項７１に記載のデバイス。
【請求項７８】
前記少なくとも１つの希釈剤が、アセトンを含む、請求項７７に記載のデバイス。
【請求項７９】
前記上皮層間剥離器が、前記化学的組成物を前記前表面に送達するように構成および配置された吸着パッドを備える、請求項６９に記載のデバイス。
【請求項８０】
前記化学的組成物が、エタノールを含む、請求項７９に記載のデバイス。
【請求項８１】
前記化学的組成物が、カンタリジンを含む、請求項７９に記載のデバイス。
【請求項８２】
前記化学的組成物が、硫化ジアリルを含む、請求項７９に記載のデバイス。
【請求項８３】
前記化学的組成物が、少なくとも１つの希釈剤をさらに含む、請求項７９に記載のデバイス。
【請求項８４】
前記少なくとも１つの希釈剤が、アセトンを含む、請求項８３に記載のデバイス。